(57)【特許請求の範囲】
【請求項１】
本体部（１）と、本体部（１）の下部に連結される印面台（２）とを備えており、本体部（１）には、複数の印字ベルト（９）と、印字ベルト（９）を回転操作する操作ダイヤル（１０）とを含む回転印字機構が設けられ、印面台（２）に差換印（４）が着脱可能に装着してある回転ゴム印であって、
差換印（４）は、印字体（４４）を固定支持する支持体（４０）を備えており、
本体部（１）の印面台（２）との連結部分には、差換印（４）を前後方向に着脱するための着脱口（８）が開口されて、着脱口（８）に臨む印面台（２）に差換印（４）を差し込み係合するための装着部（１７）が設けられており、
差換印（４）を着脱口（８）から装着部（１７）に装着した状態において、差換印（４）の上部を前後移動不能に位置保持する第１規制構造が、本体部（１）と差換印（４）の上部との間に設けられ、差換印（４）の下部を前後移動不能に位置保持する第２規制構造が、装着部（１７）と差換印（４）の下部との間に設けてあり、
第１規制構造が、支持体（４０）の後面上方に突設される摘み部（４１）と、支持体（４０）の上面に突設される掛止片（４２）と、摘み部（４１）および掛止片（４２）で内外に挟持される着脱口（８）の上周縁壁とで構成してあり、
装着部（１７）が、平面視において前後方向と直交する左右方向において、着脱口（８）の内方に向かって連出される左右一対の枠側壁（３２・３２）と、両枠側壁（３２・３２）の対向面に隣接配置される前後一対のガイド突起（３３・３４）とで構成されており、
支持体（４０）の左右側面に設けた一対のスライド突起（４３）と、装着部（１７）の前後一対のガイド突起（３３・３４）の間に形成した左右一対のガイド溝（３５・３５）とで第２規制構造が構成してある差換印付きの回転ゴム印。
【請求項２】
差換印（４）を左右移動不能に固定保持する左右規制構造が、装着部（１７）と差換印（４）との間に設けられており、
左右規制構造が、支持体（４０）の両側面と、支持体（４０）の両側面を受け止めるガイド突起（３３・３４）とで構成してある請求項１記載の差換印付きの回転ゴム印。
【請求項３】
印面台（２）が、固定印字体（２１）を支持するホルダー部（１５）と、本体部（１）の外フレーム（６）に連結されるスライド枠（１６）と、スライド枠（１６）の内面に設けられる装着部（１７）とを一体に備えている請求項１または２記載の差換印付きの回転ゴム印。
【請求項４】
外フレーム（６）に開口した着脱口（８）の上縁に、差換印（４）の上方移動限界を規定するストッパー（１３）が外フレーム（６）と一体に設けられており、
ストッパー（１３）と差換印（４）との間に、差換印（４）の印面の高さを調整する調整ねじ（４８）が設けてある請求項１ないし３のいずれかに記載の差換印付きの回転ゴム印。  
【発明の詳細な説明】
【技術分野】
【０００１】
本発明は、日付印に代表される回転ゴム印、なかでも差換式の印字体（差換印）を備えている回転ゴム印に関する。差換印を差し換えることにより、例えば捺印者の氏名や社員番号、あるいはロット番号などの識別情報を印字できる。
【背景技術】
【０００２】
この種の回転ゴム印は、本出願人の提案に係る特許文献１に公知である。そこでは、印面台の下面に固定した固定印字体で、受付、領収、検査済などの固定的な捺印情報を印字し、複数個の印字ベルトによって日付情報を印字する。さらに、本体部に対して着脱可能に設けられた差換印で捺印者の氏名や社員番号などの識別情報を印字して責任の所在を明確化できる。
【０００３】
上記の日付印においては、本体部の外フレームの後面に着脱口を開口し、さらに印面台の座壁と固定印字体のそれぞれに組付窓と組付開口を形成して、差換印を着脱口の外面側から着脱できるようにしている。差換印は支持体と、支持体の外側面に突設される摘み部とを一体に備えたプラスチック成形品からなり、支持体の下端面にゴム印字体が固定してある。差換印を本体部に装着した状態においては、支持体と摘み部とで挟まれる溝部分が先の着脱口の上周縁壁と係合して、差換印が前後方向にぐらつくのを規制している。また、着脱口の左右周縁の内面に固定した規制片で支持体の両側面を受け止めて、差換印が左右方向の遊動を防いでいる。さらに、着脱口の上周縁の内面に固定したストッパーで、支持体の上端に設けた高さ調整用のねじを受け止めて、差換印の印面高さを調整できるようにしている。
【０００４】
【特許文献１】特許第３６４２４０６号公報（段落番号００２１、図１）
【発明の開示】
【発明が解決しようとする課題】
【０００５】
特許文献１に係る日付印においては、着脱口の上周縁壁に支持体と摘み部との間の溝部分を係合するので、差換印の前後方向のぐらつきをある程度は規制できる。しかし、差換印の着脱を容易化する必要上、印面台の座壁と固定印字体に開口される組付窓および組付開口を、差換印の支持部の横断面形状より一回り大きく形成している。さらに、差換印はその上部に設けた溝部分が着脱口の上周縁壁と係合しているだけで、支持体の下側は組付窓および組付開口の内部で前後に遊動する余地がある。そのため、捺印時に差換印の印字面が前後にずれ動いて、差換印の印字位置にばらつきを生じるおそれがある。印字位置が前後にばらついたとしても、その量は極く僅かでしかなく、しかも、印字された文字に滲みやかすれがある訳ではないので実用上の支障はない。しかし、ユーザーによっては差換印の印字位置のばらつきが問題視され、印字位置のばらつきを一掃できることが要望されている。
【０００６】
座壁および固定印字体に開口される組付窓や組付開口の開口寸法を小さくすると、差換印の支持体が遊動できる隙間を充分に小さくして、印字面の前後方向のずれをある程度は規制できる。しかし、そうすると差換印を交換するときに支持体の下部が組付窓や組付開口の周囲壁と接当干渉するため、差換印の着脱を円滑に行うことが困難となり、使い勝手が著しく悪くなってしまう。
【０００７】
また、上記の日付印においては、調整用のねじを受け止めるストッパーと規制片が、外フレームとは別体のプレス金具で構成してあるため、その分だけ回転ゴム印の構成部品点数が増え、しかも、ストッパーおよび規制片を外フレームに対して溶接しなければならず、全体として差換印を備えた回転ゴム印の製造に要するコストが嵩む不利がある。
【０００８】
本発明の目的は、使用状態における差換印の前後遊動を確実に規制でき、しかも差換印の着脱を簡便に行うことができる使い勝手に優れた回転ゴム印を提供することにある。本発明の目的は、差換印の支持構造を簡素化して回転ゴム印の全体コストを削減できる回転ゴム印を提供することにある。
【課題を解決するための手段】
【０００９】
本発明の差換印付きの回転ゴム印は、本体部１と、本体部１の下部に連結される印面台２とを備えており、本体部１には、複数の印字ベルト９と、印字ベルト９を回転操作する操作ダイヤル１０とを含む回転印字機構が設けられ、印面台２に差換印４が着脱可能に装着してある。差換印４は、印字体４４を固定支持する支持体４０を備えている。本体部１の印面台２との連結部分には、差換印４を前後方向に着脱するための着脱口８が開口されて、着脱口８に臨む印面台２に差換印４を差し込み係合するための装着部１７が設けてある。差換印４を着脱口８から装着部１７に装着した状態において、差換印４の上部を前後移動不能に位置保持する第１規制構造を、本体部１と差換印４の上部との間に設ける。さらに、差換印４の下部を前後移動不能に位置保持する第２規制構造を、装着部１７と差換印４の下部との間に設ける。第１規制構造は、支持体４０の後面上方に突設される摘み部４１と、支持体４０の上面に突設される掛止片４２と、摘み部４１および掛止片４２で内外に挟持される着脱口８の上周縁壁とで構成する。装着部１７は、平面視において前後方向と直交する左右方向において、着脱口８の内方に向かって連出される左右一対の枠側壁３２・３２と、両枠側壁３２・３２の対向面に隣接配置される前後一対のガイド突起３３・３４とで構成する。支持体４０の左右側面に設けた一対のスライド突起４３と、装着部１７の前後一対のガイド突起３３・３４の間に形成した左右一対のガイド溝３５・３５とで第２規制構造を構成する。
【００１３】
差換印４を左右移動不能に固定保持する左右規制構造を、装着部１７と差換印４との間に設ける。左右規制構造は、支持体４０の両側面と、支持体４０の両側面を受け止めるガイド突起３３・３４とで構成する。
【００１４】
印面台２は、例えばプラスチック成形品で形成することができ、固定印字体２１を支持するホルダー部１５と、本体部１の外フレーム６に連結されるスライド枠１６と、スライド枠１６の内面に設けられる装着部１７とを一体に備えている。
【００１５】
外フレーム６に開口した着脱口８の上縁に、差換印４の上方移動限界を規定するストッパー１３を外フレーム６と一体に設ける。以て、ストッパー１３と差換印４との間に、差換印４の印面の高さを調整する調整ねじ４８を設ける。
【発明の効果】
【００１６】
本発明の回転ゴム印においては、本体部１の印面台２との連結部分に、差換印４を着脱するための着脱口８を開口し、着脱口８に臨む印面台２に差換印４を差し込み係合するための装着部１７を設けるようにした。そのうえで、本体部１と差換印４の上部との間に第１規制構造を設け、さらに、装着部１７と差換印４の下部との間に第２規制構造を設けて、差換印４の上部はもちろん、下部側も前後移動不能に位置保持できるようにした。したがって本発明の回転ゴム印によれば、使用状態における差換印４の前後遊動を、第１・第２の両規制構造で確実に規制して、差換印４の印字位置がばらつくのを一掃できる。また、第１・第２の両規制構造で差換印４の前後移動を規制するので、印面台の組付窓や組付開口の開口寸法を小さくして差換印の前後移動を規制する場合に比べて、差換印４の着脱を簡便に行ってこの種の回転ゴム印の使い勝手を向上できる。
【００１７】
上下にのみ相対スライド可能に係合される突起４３と溝３５とで第２規制構造を構成し、突起４３と溝３５のいずれか一方を差換印４の側面に設け、他方を装着部１７に設けるようにすると、第２規制構造の構造を簡素化しながら、差換印４の下側が前後移動するのを確実に規制でき、その分だけ第２規制構造を備えた回転ゴム印をより低コストで提供できる。
【００１８】
一対の枠側壁３２と、両枠側壁３２の対向面に隣接配置される一対のガイド突起３３・３４とで装着部１７を構成し、支持体４０の側面に設けた一対のスライド突起４３と、先の一対のガイド突起３３・３４の間に形成したガイド溝３５とで第２規制構造を構成すると、枠側壁３２と一対のガイド突起３３・３４とで装着部１７の構造強度を向上して、差換印４をより安定した状態で支持でき、同時に、差換印４の下側が前後移動するのを第２規制構造によってさらに確実に規制できる。また、差換印４を装着部１７に組み込む際に、ガイド溝３５でスライド突起４３を案内し位置決めした状態で差換印４を組み付けることができるので、差換印４の組み付けおよび取り外しを簡便に行なえる。
【００１９】
支持体４０の後面上方に突設される摘み部４１と、支持体４０の上面に突設される掛止片４２と、摘み部４１および掛止片４２で内外に挟持される着脱口８の上周縁壁とで構成した第１規制構造によれば、着脱口８の周縁壁を利用して、差換印４の上部の前後移動を規制できるので、第１規制構造の構造に無駄がなく、その分だけ差換印４を備えた回転ゴム印の製造コストをさらに削減できる。また、強度的に堅牢で厚みにばらつきのない着脱口８の周縁壁を利用して差換印４の上部の前後移動を規制するので、第１規制構造による前後規制作用を常に安定した状態で発揮できる。
【００２０】
支持体４０の両側面と、支持体４０の両側面を受け止めるガイド突起３３・３４とで左右規制構造を構成する回転ゴム印によれば、左右規制構造によって差換印４の左右移動を規制して差換印４による印字位置をさらに厳密に位置決めできる。また、装着部１７のガイド突起３３・３４を利用して差換印４の左右移動を規制するので構造に無駄がなく、その分だけ、左右規制構造を備えた回転ゴム印の製造コストを削減できる。
【００２１】
ホルダー部１５と、スライド枠１６と、スライド枠１６の内面に設けられる装着部１７を一体に備えた印面台２によれば、装着部１７を印面台２と一体に形成する分だけ差換印４の支持構造を簡素化して、回転ゴム印の全体コストを削減できる。また、装着部１７を利用して、差換印４の下部の前後移動の規制と左右移動の規制とを同時に行なうことができるので、例えば装着部１７を独立した部品として形成する場合に比べて、差換印４を強固にしかも精度よく位置決めした状態で支持できる。
【００２２】
外フレーム６に開口した着脱口８の上縁に、差換印４の上方移動限界を規定するストッパー１３を外フレーム６と一体に設け、ストッパー１３と差換印４との間に、差換印４の印面高さを調整する調整ねじ４８を設ける回転ゴム印によれば、ストッパーを独立した部品として形成する場合に比べて、差換印４の印面高さ調整構造を簡素化して、その分だけ印面高さ調整構造を備えた回転ゴム印の製造コストを削減できる。
【発明を実施するための最良の形態】
【００２３】
（実施例）  図１ないし図７は本発明に係る回転ゴム印を日付印に適用した実施例を示す。図２において、日付印は本体部１と、本体部１の下部に上下スライド可能に装着される印面台２と、本体部１に組み込まれる回転印字機構と、本体部１の上部に装着されるグリップ３と、印面台２に着脱される差換印４などで構成する。
【００２４】
本体部１は、門形に形成される内フレーム５と、内フレーム５の外面を覆う前後に二分割された外フレーム６と、外フレーム６の上端に外嵌装着される固定枠７とで構成する。内フレーム５はプラスチック成形品からなり、外フレーム６および固定枠７はステンレス板材を素材とするプレス成形品からなる。内フレーム５と固定枠７との間には高さ調整機構が設けられており、この調整機構を操作することにより内フレーム５を上下に移動させて、印字ベルト９の印面高さを調整できる。差換印４を外フレーム６の内部に出し入れするために、外フレーム６の後面に着脱口８が開口してある。着脱口８の上縁の左右中央には、差換印４の上方移動を規制するストッパー１３が、フレーム壁を利用して一体に折曲げ形成してある。
【００２５】
回転印字機構は、５個の印字ベルト９と、各印字ベルト９の上半側が巻き掛けられる操作ダイヤル１０と、印字ベルト９の下部内面を受け止めるブリッジ１１とで構成する。５個の印字ベルト９によって年号、月、日にちを印字でき、例えば図３においては、向かって左側２個の印字ベルト９で年号を、中央１個の印字ベルト９で月を、右側２個の印字ベルト９で日にちをそれぞれ印字する。印字ベルト９の外面には、台形状の一群の印面部９ａが一定間隔おきに形成してある。印面部９ａは多孔質ゴムで形成してあり、印面部９ａにインクを吸蔵させることにより、複数回の捺印を連続して行なうことができる。
【００２６】
操作ダイヤル１０は、印字ベルト９が巻き掛けられる放射枠状のプーリー部１０ａと、プーリー部１０ａを回転操作する金属板製のダイヤル板１０ｂとからなる（図２参照）。操作ダイヤル１０は各印字ベルト９に対応して設けられており、先の内フレーム５に固定したダイヤル軸１２で個別回転可能に支持してある。印字ベルト９をプーリー部１０ａに巻き掛けた状態においては、放射状に延びるプーリー腕によって印字ベルト９が多角形状に支持される。ダイヤル板１０ｂの前後周縁は、外フレーム６のスリット６ａを介してフレーム外面に露出させてある。ブリッジ１１は、ステンレス板材を素材とする断面コ字状のプレス成形品からなり、その開口面が上向きになる状態で内フレーム５の下端に係合装着されて、各印字ベルト９の内面を受け止め支持する。
【００２７】
印面台２は、下側のホルダー部１５と、ホルダー部１５の上面に設けられる四角枠状のスライド枠１６と、スライド枠１６の内面に設けられる装着部１７を一体に備えたプラスチック成形品からなる。ホルダー部１５は円形の座壁１９と、座壁１９の周縁から下向きに突設される規制脚２０とで下向きに開口する皿状に形成してある。座壁１９の下面に多孔質ゴムで形成した固定印字体２１が接着固定してある。規制脚２０の下端面は、固定印字体２１の印字面より僅かに高い位置に位置させてあり、これにより捺印時における固定印字体２１の押し付け限界を規定することができる。
【００２８】
印字ベルト９の印面部９ａを固定印字体２１の下面側へ露出させるために、座壁１９および固定印字体２１の中央部分に印字窓２２を開口し、この印字窓２２の後方に差換印４を固定印字体２１の下面側へ露出させるための印字窓２３を座壁１９および固定印字体２１に開口している。スライド枠１６の左右壁には、後述するボルト２５用の挿通穴が形成され、スライド枠１６の前後壁には切欠２４が形成してある（図３参照）。
【００２９】
印面台２は本体部１に対して上下スライド可能に連結してある。詳しくは、スライド枠１６を外フレーム６の下部に外嵌装着し、スライド枠１６と内外フレーム５・６の左右壁にボルト２５を挿通し、さらにボルト２５にナット２６をねじ込んで、印面台２を本体部１と連結する。内外フレーム５・６には、ボルト２５の上下移動を許す上下に長いスライド溝２７が形成してある。これにより、印面台２はスライド溝２７の形成範囲内を上下に移動して、ホルダー部１５の座壁１９が本体部１で受け止められる使用位置（図２に示す状態）と、座壁１９が印字ベルト９の回転軌跡の外に位置する退避位置（図４に示す状態）との間をスライド変位できる。
【００３０】
図３に示すように装着部１７は、着脱口８の内方へ向かって連出される一対の枠側壁３２と、両枠側壁３２の対向面に隣接配置される前後一対のガイド突起３３・３４と、ガイド突起３３・３４の間に形成されるガイド溝（溝）３５などで構成する。装着部１７は、外フレーム６の着脱口８の形成位置と、先に述べた印字窓２３の両者に対応して形成してあり、両枠側壁３２、およびガイド突起３３・３４の下端は座壁１９に連続している。後側のガイド突起３４の上下寸法は、前側のガイド突起３３の上下寸法より小さく設定してあり、その上端には差換印４の装着を容易化する斜めの案内面３６が形成してある。
【００３１】
差換印４は、横断面が横に長い長方形状の支持体４０と、支持体４０の後面（外面）に設けられる摘み部４１と、支持体４０の上面左右に突設される掛止片４２と、支持体４０の両側に突設される一対のスライド突起（突起）４３とを一体に備えたプラスチック成形体と、支持体４０の下面に固定される印字体４４とで構成してある。図４に示すように、摘み部４１と掛止片４２とは僅かな隙間４５を介して前後に位置ずれした状態で配置してあり、この隙間４５は外フレーム６の壁面の厚み寸法に一致している。差換印４を着脱口８から装着部１７に装着することにより、先の印字体４４が印字窓２３を介して固定印字体２１の下面側へ露出する。印字体４４は、固定印字体２１と同じ多孔質ゴムで形成してある。スライド突起４３の下端は半円状に丸めてある。
【００３２】
上記のように、差換印４を装着部１７に装着した状態において、差換印４を前後移動不能に位置保持してその印字位置のばらつきを防ぐために第１・第２の規制構造を設け、さらに差換印４を左右移動不能に位置保持するために左右規制構造を設けている。
【００３３】
第１規制構造は、先の摘み部４１と、掛止片４２と、摘み部４１および掛止片４２で内外に挟持される着脱口８の上周縁壁とで構成してあり、差換印４を装着部１７に装着した状態において、図５に示すように差換印４の上部を前後移動不能に固定保持する。第２規制構造は、装着部１７に設けたガイド溝３５と、差換印４に設けたスライド突起４３とで構成してあり、差換印４を装着部１７に装着した状態において、差換印４の下部を前後移動不能に固定保持する（図１参照）。
【００３４】
左右規制構造は、支持体４０の両側面と、支持体４０の両側面を受け止めるガイド突起３３・３４とで構成してあり、差換印４を装着部１７に装着した状態において、両ガイド突起３３・３４の対向面で支持体４０の両側面を受け止めて、差換印４を左右移動不能に保持固定する（図１および図６参照）。
【００３５】
差換印４の印字体４４の印面高さを、固定印字体２１の印面高さと一致させるために、ストッパー１３と支持体４０との間に差換印４の印面の高さを調整する調整ねじ４８を設けている。この実施例では、支持体４０の上部にナット４７を回転不能に係合装着し、ナット４７に対して調整ねじ４８をねじ込み装着し、調整ねじ４８の操作頭部をストッパー１３の下面で受け止めるようにした。
【００３６】
図２において印字ベルト９用の高さ調整機構は、内フレーム５の上端壁に固定されるねじ軸５１と、固定枠７の上面においてねじ軸５１にねじ込まれるナット５２と、ナット５２を回転操作する調整リング５３とで構成する。ねじ軸５１の上端にはグリップ３がねじ込まれて、その下端面が調整リング５３を回転不能に押圧している。グリップ３を緩み側へ回転操作して調整リング５３から分離した後、調整リング５３を介してナット５２を回転操作することにより、内フレーム５および印字ベルト９を上下方向へ調整移動できる。
【００３７】
印字ベルト９を回転操作して印字内容を変更する場合には、図４に示すように印面台２を退避位置までスライド操作して、その座壁１９を印字ベルト９の回転軌跡の外に位置させる。この状態で各操作ダイヤル１０を回転することにより、印字すべき数字が形成してある印面部９ａをブリッジ１１の外面に位置させることができる。
【００３８】
図５に示すように差換印４を装着部１７に装着した状態においては、調整ねじ４８の操作頭部がストッパー１３の下面で受け止められている。また、摘み部４１と掛止片４２とが着脱口８の上周縁壁を内外に挟持し、同時に差換印４に設けたスライド突起４３が、ガイド溝３５で前後遊動不能に係合支持されている。この状態から、上記のように印面台２を退避位置までスライド操作させて差換印４の交換を行なう。
【００３９】
印面台２を退避位置までスライド操作した状態では、スライド突起４３がガイド溝３５から抜け出て、外フレーム６の側に差換印４が保持されている。この状態から、摘み部４１を掴んで差換印４を印面台２の側へ向かって押し下げ操作することにより、掛止片４２の上端を着脱口８の上周縁壁より下方に位置させて、掛止片４２を着脱口８の外へ抜き出せるようにする。次に、差換印４の全体を着脱口８の外へ向かって斜めに傾斜させ、掛止片４２を着脱口８の外へ抜き出すことにより、差換印４の全体を装着部１７から取り外すことができる。
【００４０】
新たな差換印４を装着部１７に装着するときは、上記の分離手順の逆の手順に従って差換印４を差し込み係合する。詳しくは、図４に想像線で示すように摘み部４１を掴んで差換印４を斜めに支持し、その印字体４４および支持体４０の下部を、ガイド突起３３・３４の間から印字窓２３に差し込む。この状態で、スライド突起４３の下端を案内面３６で受け止めて、差換印４の全体を徐々に起立させることにより、係止片４２の上端が着脱口８の上周縁壁をくぐり抜けて、着脱口８の内部に入り込む。さらに、差換印４の全体を押し上げ操作して、調整ねじ４８の操作頭部をストッパー１３に接当させることにより、摘み部４１と掛止片４２とが着脱口８の上周縁壁を内外に挟持する。このときの差換印４の組み付け状態は、摘み部４１と掛止片４２とが着脱口８の上周縁壁を内外に挟持することによって維持されている。最後に、印面台２を本体部１へ向かってスライド操作し、使用位置へ戻すことにより、印字体４４を印字窓２３から固定印字体２１の下面側へ露出させることができる。同時に、スライド突起４３とガイド溝３５とが係合して、差換印４を前後遊動不能に固定保持する。
【００４１】
以上のように構成した日付印によれば、予め用意しておいた複数の差換印４を印面台２に対して交換装着することにより、図７に示す印字体４４による印字内容を多様に変更できる。例えば、捺印者の氏名、社員番号などの識別情報を印字することができる。また、競技会やイベェントなどの開催回数を差換印４で印字できる。食品を販売した時間が午前か午後か、あるいは食品の賞味期限など、印字ベルト９で印字される基準日付に関連した第２日付を差換印４で印字できる。
【００４２】
上記の実施例以外に、差換印４は複数個の印字体で構成することができる。必要があれば、印字ベルト９を間に挟む固定印字体２１の前後２箇所に差換印４を配置できる。本発明は、規制脚２０を備えていない日付印に適用できる。また日付印以外に、固定印字体２１を備えている番号印等にも適用できる。但しこの場合の番号は複数の印字ベルトで印字することを要する。印面台２は、円形以外に楕円形や四角形などに形成することができる。
【００４３】
支持体４０の側にガイド溝（溝）３５を設け、装着部１７の側にスライド突起（突起）４３を設けることができる。溝３５と突起４３は、支持体４０と装着部１７の少なくとも一方の側面に設けてあればよい。装着部１７は印面台２と一体に形成するのが好ましいが、必要があれば、装着部１７を印面台２とは別体の独立した部品で形成しておいて、印面台２に装着固定することができる。その場合の装着部１７は、プラスチック成形品とプレス成形品のどちらであってもよい。
【００４４】
調整ねじ４８は、ストッパー１３の側にねじ込み装着することができる。印面台２はダイキャスト成形品で形成することができる。第２規制構造は左右規制構造を兼ねることができ、その場合にはスライド突起４３の側面をガイド溝３５の溝底壁で受け止めるとよい。
【図面の簡単な説明】
【００４５】
【図１】図５におけるＡ−Ａ線断面図である。
【図２】日付印の縦断側面図である。
【図３】装着部および差換印の分解斜視図である。
【図４】印面台を退避移動した状態の縦断側面図である。
【図５】差換印の高さ調整構造を示す縦断側面図である。
【図６】図５におけるＢ−Ｂ線断面図である。
【図７】日付印の印面を示す底面図である。
【符号の説明】
【００４６】
１  本体部
２  印面台
４  差換印
６  外フレーム
８  着脱口
９  印字ベルト
１０  操作ダイヤル
１３  ストッパー
１５  ホルダー部
１６  スライド枠
１７  装着部
２１  固定印字体
３２  枠側壁
３３・３４  ガイド突起
３５  溝
４０  支持体
４１  摘み部
４２  掛止片
４３  突起
４４  印字体
４８  調整ねじ
【図１】
0005096892.tif 000002
【図２】
0005096892.tif 000003
【図３】
0005096892.tif 000004
【図４】
0005096892.tif 000005
【図５】
0005096892.tif 000006
【図６】
0005096892.tif 000007
【図７】
0005096892.tif 000008